(57)【特許請求の範囲】
【請求項１】
外壁材と壁下地との間に形成される通気空間と屋外との間の通気を確保する機能を有する見切材であって、外壁材より屋外側において開口する外開口と、通気空間側に開口する内開口と、外開口と内開口との間を連通する内部の通気路とを備えて形成される通気見切材において、通気見切材の端部に取り付けられる端部部材であり、通気見切材の端面を塞ぐ端部板の屋外側端部に水止め片を屋外側へ延出し、上記外開口の直下に対応する位置において、水止め片の通気見切材側の面に、水止め片の突出方向に沿って水ガイド片を通気見切材の側へ張り出して設けて成ることを特徴とする通気見切材の端部部材。
【請求項２】
端部板の片面に通気見切材の端面と嵌合する嵌合片を設けて形成され、この嵌合片を通気見切材の端部に嵌合させて通気見切材の端面に取り付けることによって、エンドキャップとして使用されるものであることを特徴とする請求項１に記載の通気見切材の端部部材。
【請求項３】
端部板の両面にそれぞれ通気見切材の端面と嵌合する嵌合片を設けて形成され、端部板の両側にそれぞれ配置された通気見切材の端部に嵌合片を嵌合させて、各通気見切材の端面に取り付けることによって、一対の通気見切材を連結するジョイントとして使用されるものであることを特徴とする請求項１に記載の通気見切材の端部部材。
【請求項４】
建築物の妻側の壁下地の屋外側に外壁材を取り付けると共に壁下地と外壁材との間に通気空間を形成し、外壁材の屋根に臨む上端部に通気見切材を配置すると共に通気見切材を屋根の勾配に沿って傾斜させた状態で取り付け、通気見切材を、外壁材より屋外側において開口する外開口と、通気空間側に開口する内開口と、外開口と内開口との間を連通する内部の通気路とを備えて形成し、端部板の屋外側端部に水止め片を屋外側へ延出すると共に水止め片の延出方向に沿って水ガイド片を水止め片の少なくとも片面に張り出して設けて端部部材を形成し、通気見切材の傾斜の下側の端面に端部部材を取り付けて端部板で通気見切材の端面を塞ぐと共に、端部部材の水ガイド片を通気見切材の外開口の直下の位置に配置して成ることを特徴とする建築物の外壁構造。
【請求項５】
端部板の片面に嵌合片を設けると共に水止め片の嵌合片を設けた側と同じ側の片面に水ガイド片を設けて、端部部材をエンドキャップとして形成し、嵌合片を通気見切材の端部に嵌合することによって、エンドキャップを通気見切材の端面に取り付けて成ることを特徴とする請求項４に記載の建築物の外壁構造。
【請求項６】
端部板の両面にそれぞれ嵌合片を設けると共に水止め片の少なくとも片面に水ガイド片を設けて、端部部材をジョイントとして形成し、端部板の両側にそれぞれ通気見切材を配置すると共に端部板の両側の各嵌合片を各通気見切材の端部に嵌合させることによって、ジョイントで一対の通気見切材を連結して成ることを特徴とする請求項４に記載の建築物の外壁構造。
【発明の詳細な説明】
【技術分野】
【０００１】
本発明は、外壁材と壁下地との間の通気空間と屋外との間の通気性を確保する通気見切材の端部に取り付けて、通気見切材の端面を塞いだり、通気見切材同士を連結したりするために用いられる端部部材に関するものであり、またこの通気見切材と端部部材を設けた建築物の外壁構造に関するものである。
【背景技術】
【０００２】
建築物の壁下地４に外壁材２を張って取り付ける場合、壁下地４と外壁材２との間に通気空間５を形成することがある。そしてこの通気空間５と屋外との間で通気性を確保することによって、壁下地４と外壁材２の間で湿気が上昇することを抑制し、外壁材２の内面や壁下地４にカビや腐食が発生することを防止することができるものである。
【０００３】
このように外壁材２の背面側に形成される通気空間５の上端は、例えば図１０に示すように小屋裏４８に連通されているのが一般的である。この場合、図１０（ａ）の矢印のように通気空間５と小屋裏４８との間で通気がなされ、通気空間５と屋外との通気性は小屋裏４８と連通する換気棟等を介して確保される。
【０００４】
しかしこのように通気空間５と小屋裏４８を連通させると、建築物の施工上の制約が大きくなってしまうという問題がある。また、既存の建築物の外壁を改装するために既存の外壁材を壁下地４として新たな外壁材２を取り付ける場合には、この新たな外壁材２と壁下地４の間に通気空間５を形成しても、この通気空間５を小屋裏４８へ連通させることはできず、通気性を確保することができないという問題もある。
【０００５】
そこで、外壁材２の屋根３に臨む上端部に取り付けられる見切材１に、屋外と通気空間５との間の通気性を確保するための機能を付与することが行われている。図１１に示す例では、外壁材２の上端部を覆う見切材１の内部に通気用の通路８を形成し、この見切材１に屋外側に連通する外開口６と、屋内側の通気空間５に連通する内開口７とを形成するようにしてある。このものでは図１１（ａ）のａ矢印に示すように、通気空間５と屋外との間の通気を内開口７と通気路８と外開口６を通して行なうことができるものであり、通気空間５と外気との通気性を見切材１によって確保することができるものである（特許文献１参照）。
【０００６】
この見切材１にあって、風が外開口６から見切材１内の通気路８に吹き込むと、風と共に雨水も通気路８内に侵入することになるが、通気空間５に臨んで開口する内開口７は外開口６よりも高い位置に形成されているので、内開口７から通気空間５へと雨水が浸入することを防ぐことができるようになっている。そして風と共に外開口６から通気路８に侵入した雨水は、通気路８内の傾斜面４９によって外開口６の側へ流し戻され、外開口６から排水されるようになっている。
【０００７】
ここで、見切材１は、桁側の軒下に沿って水平に取り付けて使用する他、切妻屋根の妻側の壁面の軒下において、屋根３の傾斜に沿って斜めに取り付けて使用することもある。図９は妻壁に屋根３の傾斜に沿って見切材１を斜めに取り付けた状態を示すものである。また見切材１はジョイント３７で長手方向に連結して使用されるものであり、見切材１の端部にはエンドキャップ５２を取り付けて端面の開口を塞ぐようにしてある。
【先行技術文献】
【特許文献】
【０００８】
【特許文献１】特開２００２−３１７５４９号公報
【発明の概要】
【発明が解決しようとする課題】
【０００９】
上記のように見切材１の通気路８内に浸入した水は流し戻されて外開口６から排出されるが、上記の図９のように見切材１を屋根３の傾斜に沿って斜めに取り付けて使用する場合には、通気路８内に浸入した水が外開口６へと流し戻される間に、見切材１の傾斜に従って通気路８内を見切材１の長手方向に沿って流れることになる。そして見切材１の下側の端面の開口はジョイント３７やエンドキャップ５２で塞がれているので、見切材１内を長手方向に流れた水はジョイント３７やエンドキャップ５２で堰止められ、このジョイント３７やエンドキャップ５２の箇所に集められた状態で、外開口６から排出される。従って、見切材１内に浸入した水は、ジョイント３７やエンドキャップ５２で塞がれた端部に集中して多量の流れとして外開口６から排出されることになる。そして見切材１の外開口６は外壁材２の表面に近い位置にあるので、このように外開口６から水の流れとして排出された水は外壁材２の表面を流れることになり、水の流れで筋状の水垢の汚れが外壁材２に付着し易く、水垢による汚れが目だって発生するおそれがあるという問題を有するものであった。
【００１０】
本発明は上記の事由に鑑みてなされたものであり、通気路内に浸入した水を外壁材の表面に流して汚すようなことを効果的に抑制しつつ排水することができる通気見切材の端部部材を提供することを目的とするものであり、また通気見切材の通気路内に浸入した水が排水される際に、この水が外壁材の表面を流れて外壁材の表面を汚すようなことを効果的に抑制することができる建築物の外壁構造を提供することを目的とするものである。
【課題を解決するための手段】
【００１１】
本発明に係る通気見切材の端部部材は、外壁材２と壁下地４との間に形成される通気空間５と屋外との間の通気を確保する機能を有する見切材であって、外壁材２より屋外側において開口する外開口６と、通気空間５側に開口する内開口７と、外開口６と内開口７との間を連通する内部の通気路８とを備えて形成される通気見切材１において、通気見切材１の端部に取り付けられる端部部材Ａであり、通気見切材１の端面を塞ぐ端部板２９の屋外側端部に水止め片３０を屋外側へ延出し、上記外開口６の直下に対応する位置において、水止め片３０の通気見切材１側の面に、水止め片３０の突出方向に沿って水ガイド片３１を通気見切材１の側へ張り出して設けて成ることを特徴とするものである。
【００１２】
端部部材Ａの端部板２９にこのように水止め片３０と水ガイド片３１を設けることによって、通気見切材１内を横走りした水が端部部材Ａでせき止められて、集められた状態で外開口６から排出されても、外開口６から排出された水はその直下に位置する端部部材Ａの水ガイド片３１で受けられ、水止め片３０が突出する屋外方向へ水ガイド片３１の上を流れた後に、外壁材２の表面から離れた位置で水ガイド片３１の先端から流下されるものであり、この水が外壁材２の表面を流れることを効果的に防いで、水垢などが外壁材２に付着することを効果的に抑制することができるものである。
【００１３】
また本発明係る通気見切材の端部部材Ａは、端部板２９の片面に通気見切材１の端面と嵌合する嵌合片３２を設けて形成され、この嵌合片３２を通気見切材１の端部に嵌合させて通気見切材１の端面に取り付けることによって、エンドキャップ５２として使用されるものであることを特徴とする。
【００１４】
エンドキャップ５２は通気見切材１の端面を塞いで化粧を施すためのものであるが、通気見切材１内をその傾斜に沿って流れた水がこのエンドキャップ５２で堰止められても、上記のように外開口６から排出された水を水止め片３０と水ガイド片３１で外壁材２の表面から離れた位置で流下させることができ、この水が外壁材２の表面を流れて水垢などが付着することを効果的に抑制することができるものである。
【００１５】
また本発明係る通気見切材の端部部材は、端部板２９の両面にそれぞれ通気見切材１の端面と嵌合する嵌合片３２を設けて形成され、端部板２９の両側にそれぞれ配置された通気見切材１の端部に嵌合片３２を嵌合させて、各通気見切材１の端面に取り付けることによって、一対の通気見切材１を連結するジョイント３７として使用されるものであることを特徴とする。
【００１６】
ジョイント３７は通気見切材１を連結するためのものであるが、通気見切材１内をその傾斜に沿って流れた水がこのジョイント３７で堰止められても、上記のように外開口６から排出された水を水止め片３０と水ガイド片３１で外壁材２の表面から離れた位置で流下させることができ、この水が外壁材２の表面を流れて水垢などが付着することを効果的に抑制することができるものである。
【００１７】
本発明に係る建築物の外壁構造は、建築物の妻側の壁下地４の屋外側に外壁材２を取り付けると共に壁下地４と外壁材２との間に通気空間５を形成し、外壁材２の屋根３に臨む上端部に通気見切材１を配置すると共に通気見切材１を屋根３の勾配に沿って傾斜させた状態で取り付け、通気見切材１を、外壁材２より屋外側において開口する外開口６と、通気空間５側に開口する内開口７と、外開口６と内開口７との間を連通する内部の通気路８とを備えて形成し、端部板２９の屋外側端部に水止め片３０を屋外側へ延出すると共に水止め片３０の延出方向に沿って水ガイド片３１を水止め片３０の少なくとも片面に張り出して設けて端部部材Ａを形成し、通気見切材１の傾斜の下側の端面に端部部材Ａを取り付けて端部板２９で通気見切材１の端面を塞ぐと共に、端部部材Ａの水ガイド片３１を通気見切材１の外開口６の直下の位置に配置して成ることを特徴とするものである。
【００１８】
端部部材Ａの端部板２９にこのように水止め片３０と水ガイド片３１を設けることによって、通気見切材１内をその傾斜に沿って流れた水が端部部材Ａでせき止められて、集められた状態で外開口６から排出されても、外開口６から排出された水はその直下に位置する端部部材Ａの水ガイド片３１で受けられ、水止め片３０が突出する屋外方向へ水ガイド片３０の上を流れた後に、外壁材２の表面から離れた位置で水ガイド片３１の先端から流下されるものであり、この水が外壁材２の表面を流れることを効果的に防いで、水垢などが外壁材２に付着することを効果的に抑制することができるものである。
【００１９】
また本発明は、端部板２９の片面に嵌合片３２を設けると共に水止め片３０の嵌合片３２を設けた側と同じ側の片面に水ガイド片３１を設けて、端部部材Ａをエンドキャップ５２として形成し、嵌合片３２を通気見切材１の端部に嵌合することによって、エンドキャップ５２を通気見切材１の端面に取り付けて成ることを特徴とするものである。
【００２０】
エンドキャップ５２を通気見切材１の端部に取り付けて、通気見切材１の端面を塞いで化粧を施すにあたって、通気見切材１内をその傾斜に沿って流れた水がこのエンドキャップ５２で堰止められても、上記のように外開口６から排出された水を水止め片３０と水ガイド片３１で外壁材２の表面から離れた位置で流下させることができ、この水が外壁材２の表面を流れて水垢などが付着することを効果的に抑制することができるものである。
【００２１】
また本発明は、端部板２９の両面にそれぞれ嵌合片３２を設けると共に水止め片３０の少なくとも片面に水ガイド片３１を設けて、端部部材Ａをジョイント３７として形成し、端部板２９の両側にそれぞれ通気見切材１を配置すると共に端部板２９の両側の各嵌合片３２を各通気見切材１の端部に嵌合させることによって、ジョイント３７で一対の通気見切材１を連結して成ることを特徴とするものである。
【００２２】
通気見切材１の端部にジョイント３７を取り付けて通気見切材１を連結するにあたって、通気見切材１内をその傾斜に沿って流れた水がこのジョイント３７で堰止められても、上記のように外開口６から排出された水を水止め片３０と水ガイド片３１で外壁材２の表面から離れた位置で流下させることができ、この水が外壁材２の表面を流れて水垢などが付着することを効果的に抑制することができるものである。
【発明の効果】
【００２３】
本発明によれば、端部部材Ａの端部板２９に上記のような水止め片３０と水ガイド片３１を設けることによって、通気見切材１内をその傾斜に沿って流れた水が端部部材Ａでせき止められて、集められた状態で外開口６から排出されても、外開口６から排出された水はその直下に位置する端部部材Ａの水ガイド片３０で受けられ、水止め片３０が突出する屋外方向へ水ガイド片３０の上を流れた後に、外壁材２の表面から離れた位置で水ガイド片３０の先端から流下されるものであり、この水が外壁材２の表面を流れることを効果的に防いで、水垢などが外壁材２に付着することを効果的に抑制することができるものである。
【図面の簡単な説明】
【００２４】
【図１】本発明の実施の形態の一例を示すものであり、（ａ）は一部破断した斜視図、（ｂ）は通気水切材に端部部材としてエンドキャップを取り付けた状態の断面図、（ｃ）は通気見切材に端部部材としてジョイントを取り付けた状態の断面図である。
【図２】本発明の実施の形態の一例の一部破断した断面図である。
【図３】本発明の実施の形態の一例の一部破断した正面図である。
【図４】本発明の実施の形態の一例におけるエンドキャップを示すものであり、（ａ）は正面図、（ｂ）は側面図、（ｃ）は平面図、（ｄ）はパッキンを張った状態の側面図である。
【図５】本発明の実施の形態の一例におけるジョイントを示すものであり、（ａ）は正面図、（ｂ）は側面図、（ｃ）は平面図、（ｄ）はパッキンを張った状態の側面図である。
【図６】本発明の実施の形態の一例における頂点カバーを示すものであり、（ａ）は側面図、（ｂ）は正面図、（ｃ）は底面図である。
【図７】本発明の実施の形態の一例における施工の手順を示すものであり、（ａ）乃至（ｄ）はそれぞれ斜視図である。
【図８】本発明の実施の形態の一例における施工の手順を示すものであり、（ａ）乃至（ｄ）はそれぞれ斜視図である。
【図９】妻壁への通気見切材の取り付け状態を示すものであり、（ａ）は家屋の全体を示す正面図、（ｂ）は通気見切材の配置状態の正面図である。
【図１０】従来技術の一例を示す図であり、（ａ）は概略断面図、（ｂ）は破断した斜視図である。
【図１１】従来技術の他例を示す図であり、（ａ）は概略断面図、（ｂ）は破断した斜視図である。
【発明を実施するための形態】
【００２５】
以下、本発明を実施するための最良の形態について説明する。
【００２６】
通気見切材１は、アルミニウム押出成形品などで形成される二つの部材（基体１２と仕切体１７）の組み合わせで構成されているものであり、長尺の部材として形成されるものである。勿論、通気見切材１の構成はこのようなものに限定されるものではない。例えばアルミニウム押出成形などによって全体を一体成形品として形成するようにしてもよく、また金属製の板材に折り曲げ加工や打ち抜き加工等をして形成するようにしてもよい。
【００２７】
以下、通気見切材１が外壁材２の屋根３に臨む上端部に配置して取り付けられた状態を想定して、通気見切材１の構造を説明する。勿論、通気見切材１が取り付けられる位置はこのような位置に限定されるものではなく、例えば、一階と二階の境界付近で上下に位置する外壁材２、２間のように、壁面の途中において配置してもよい。通気見切材１は外壁材２の上端面の上方に配置される基体１２と、基体１２の内部に取り付けられる仕切体１７とから形成されるものであり、基体１２と仕切体１７はいずれも長尺物である。
【００２８】
基体１２は、上面板１８と前面板２０と背面板１３から、下面開口の断面コ字形に形成されるものであり、その前面（屋外側の面）が前面板２０となるものであって、この前面板２０に縦断面波状の凹凸１６が図３のように全長に亘って設けてある。基体１２の前面板２０にこのような凹凸１６を形成することによって、通気見切材１の意匠性を向上し、通気見切材１が屋外に露出しても外壁の意匠性悪化を招かないようにすることができるものである。また凹凸１６によって通気見切材１の強度を向上することができるものであり、さらに表面に雨水等の水が付着しても、この凹凸１６によって表面の水切り性が高くなり、通気見切材１の表面に水滴が残留することを抑制できるものである。基体１２の背面（屋内側の面）の背面板１３は、下端が前面板２０より下方へ延出されるように上下幅を広く形成してある。
【００２９】
仕切体１７は背面が開口する断面略コ字形に形成されるものであり、上下の各背面側端部にはそれぞれ係合突部３３ａと引掛け突部３３ｂが設けてある。一方、上記の基体１２の背面板１３に係合凹部２７と引掛け受部２８が設けてある。そして、仕切体１７を基体１２内に配置し、係合凹部２７に係合突部３３ａを挿入係合させた状態で、この係合部３３ａを中心にして仕切体１７を回動させて、引掛け受部２８に引掛け突部３３ｂを弾性的に引掛け係止させることによって、基体１２内に仕切体１７を固定することができ、通気見切材１を組み立てることができるものである。このように基体１２内に仕切体１７を取り付けることによって、通気見切材１内を通気路８と中空部１５とに仕切ることができるものである。仕切体１７には中空部１５内において一対の固定具用凸部２２が突設してあり、この固定具用凸部２２で囲まれて、通気見切材１の長手方向両端部で開口する固定具用穴２３が形成されるようにしてある。
【００３０】
上記のように基体１２内に形成される通気路８は、基体１２の屋外側下端部から上方へ向かう縦通気路８ａと、この縦通気路８ａと上下方向に連通し、且つこの縦通気路８ａの上方から屋内側へ横方向に向かう横通気路８ｂから構成されている。仕切体１７の前面の下部は傾斜しており、この傾斜によって、縦通気路８ａの底部の内面に屋内側から屋外側へ向けて下り傾斜する外傾斜面９が形成されるようになっている。また仕切体１７の上面は傾斜しており、この傾斜によって、横通気路８ｂの底部の内面に屋内側から縦通気路８ａの上端へ向けて下り傾斜する内傾斜面１１が形成されるようになっている。
【００３１】
通気見切材１の屋外側端部の下面には、通気見切材１の長手方向（横方向）に沿って長い外開口６が形成されている。この外開口６は、基体１２の前面板２０の下端と、仕切体１７の前面の下端との間の隙間としてスリット状に形成されているものであり、通気路８の縦通気路８ａの下端部はこの外開口６によって開口している。また基体１２の背面板１３の上端部に内開口７が形成してある。この内開口７は丸孔状、或いは通気見切材１の長手方向に沿って長い長孔状として形成してあり、通気見切材１の長手方向に沿って所定間隔で複数設けるようにしてある。この内開口７は通気路８の横通気路８ｂの屋内側端部において開口するものであり、これにより、外開口６と内開口７は通気路８を介して連通しているものである。ここで、内開口７は外開口６よりも上方に位置するものであり、内開口７と外開口６の高低差は適宜設定されるが、内開口７の下端と外開口６の上端との高低差が２５〜７０ｍｍの範囲であることが好ましい。
【００３２】
ここで、基体１２の前面板２０の下端部を屋外側へ向けて斜め下方へ傾斜するように屈曲して傾斜部２１ａを形成すると共に、さらに傾斜部２１ａの下端を下方へ垂下するように屈曲して垂下部２１ｂを形成し、傾斜部２１ａと垂下部１ｂとから構成される膨出部２１が前面板２０の下端部に形成されるようにしてある。傾斜部２１ａの傾斜角度は上記の外傾斜面９の傾斜角度とほぼ等しく形成してある。勿論、膨出部２１の形状はこのような形状に限定されるものではなく、例えば、前面板２０の下端を屋外側へ向けて水平に突出するものであってもよい。また仕切体１７の屋外側端部の下面に下突片１９が通気見切材１の長手方向全長に亘って突設してある。この下突片１９は外開口６の屋内側の開口端縁に沿って配置されるものである。
【００３３】
また上記の通気路８内には、外傾斜面９の上方に、仕切体１７から屋外側へ向けて突出する水返し１０と、基体１２の前面板２０から屋内側へ向けて突出する水返し１０とが、上下に並んで交互に複数設けられている。この複数の水返し１０として、下方に位置するものから順に、第一の水返し１０ａ、第二の水返し１０ｂ、第三の水返し１０ｃ、及び第四の水返し１０ｄが設けられている。
【００３４】
最も下側に設けられている第一の水返し１０ａは、縦通気路８ａ内で仕切体１７の外面から屋外側へ向けて突出している。この第一の水返し１０ａの位置は外傾斜面９の上方近傍であることが好ましく、例えば外傾斜面９の屋内側上端部と第一の水返し１０ａの縦通気路８ａの内面からの突出位置との高低差が３〜１０ｍｍの範囲となるようにするのがよい。第二の水返し１０ｂは、縦通気路８ａ内で前面板２０の内面から屋内側へ向けて突出している。第三の水返し１０ｃは、縦通気路８ａの上端において仕切体１７の外面から屋外側へ向けて突出している。この第三の水返し１０ｃの上面は、上記の内傾斜面１１の一部を構成している。第四の水返し１０ｄは、縦通気路８ａの上方の横通気路８ｂ内で前面板２０の内面から屋内側へ向けて突出している。これらの各水返し１０は突出方向に向けて下り傾斜しているものであり、各水返し１０の突出先端に下方へ水切片２５を突設してある。また、最も下側に配置されている第一の水返し１０ａの先端の直下には外傾斜面９が位置し、それ以外の水返し１０の先端の直下には、この水返し１０の一つ下側の他の水返し１０の上面が位置している。
【００３５】
上記のように形成される通気見切材１は、図１（ａ）及び図２に示すように、軒下の壁面において、外壁材２の屋根３に臨む上端部に取り付けて使用されるものである。すなわち、壁下地板や防水シート等で構成される壁下地４の屋外側外面に、上下方向の壁下構造材として縦胴縁４６が壁下地４に沿って間隔をあけて複数本設けてあり、この縦胴縁４６に外壁材２を固定することによって、外壁材２が壁面に張ってある。このため外壁材２と壁下地４との間に縦胴縁４６が介在し、隣り合う縦胴縁４６の間で、外壁材２と壁下地４との間に通気空間５が形成される。勿論、このように縦胴縁４６によって通気空間５を形成するようにする他、一般的に通気金具と称される外壁材２の固定用金具を用いて通気空間５を形成するようにしてもよい。ここで壁下地４は、改装前の建築物における既存の外壁材であっても良く、この場合、壁下地４の屋外側に取り付けられる外壁材２は建築物の壁面の改装のための新たな外壁材２である。そしてこの外壁材２の屋根３に臨む上端部（軒天井材２４と対向する端部）に配置して通気見切材１が取り付けられるものである。
【００３６】
通気見切材１は外壁材２の上端の上側に配置されるものであり、その背面板１３の下端部を縦胴縁４６に釘等の固定具４５で固定すると、通気見切材１の取付け強度が高くなる。また通気見切材１の下面と外壁材２の上端面との間には屋内側にバックアップ材３４を詰め、このバックアップ材３４の屋内側にシーリング材３５を充填することによって、防水処理が施してある。シーリング材３５としては、例えば一般に湿式系と称される変性シリコン等から成るコーキング剤、乾式系と称される発泡樹脂や発泡ゴムなどからなるガスケットなどを使用することができる。バックアップ材３４は樹脂等で形成されていてもよいが、板金等で形成された片ハット型のバックアップ材３４を用いるようにしてもよい。また、通気見切材１の上面は軒天井材２４に当接してあり、通気見切材１の前面板２０の上端外面と軒天井材２４の下面に三角シーリング材３６を充填することによって、防水処理が施してある。
【００３７】
ここで、通気見切材１は、桁側の軒下に沿って水平に取り付けて使用することができるが、本発明では、切妻屋根の妻側の壁面の軒下において、屋根３の傾斜に沿って斜めに取り付けて使用するようにしてある。図９は妻壁に屋根３の傾斜に沿って斜めに取り付けた状態の通気見切材１を示すものであり、このとき、図１（ａ）に示すように、屋根の傾斜に合わせて斜めに切断した外壁材２の切断端面の上に通気見切材１を配置して取り付けることになる。
【００３８】
通気見切材１を上記のように妻壁に傾斜した状態で取り付けるにあたって、図９（ｂ）のように通気見切材１を斜め上下方向に一直線にジョイント３７で接続するようにしてあり、妻壁の頂部において頂点カバー５０で両側の通気見切材１を接続するようにしてある。また端部に配置される通気見切材１の下側の端面には、エンドキャップ５２を取り付けて、通気見切材１の端部の開口を塞ぐようにしてある。これらのエンドキャップ５２とジョイント３７は、いずれも通気見切材１の端部に取り付けられる端部部材Ａであり、共通した構成を有する部材である。
【００３９】
次に、通気見切材１を妻壁に取り付ける施工の手順について説明する。まず端部に配置される通気見切材１にエンドキャップ５２を取り付ける。図４にエンドキャップ５２の一例を示す。このエンドキャップ５２は、通気見切材１の端面の外形形状・寸法にほぼ合致する外形の端部板２９の片面に嵌合片３２を鍔状に突設して形成されるものである。この端部板２９の屋外側の端部で且つ下端部の位置に、屋外側へ向けて斜め下方に水止め片３０が一体に延設してあり、この水止め片３０の下縁に沿って屋外側へ向けて斜め下方へ傾斜する水ガイド片３１が突設してある。嵌合片３２は端部板２９の片面の３箇所に設けてあり、端部板２９の上端縁に沿った嵌合片３２ａは、通気見切材１の基体１２の上面板１８と平行な形状に、端部板２９の前端縁に沿った嵌合片３２ｂは、通気見切材１の基体１２の前面板２０及びその膨出部２１と平行な形状に、端部板２９の後端縁から下端縁に沿った嵌合片３２ｃは、通気見切材１の基体１２の背面板２０から仕切体１７の下片と平行な形状に、それぞれ形成されるものである。端部板２９の中央部には固定用孔５７が穿設してある。尚、端部板２９の嵌合片３２を設けた側の面にはＥＰＤＭ等のゴムなどのパッキン５８を貼着するようにしてあり、パッキン５８を貼着する範囲を図４（ｄ）に示す。
【００４０】
そして図７（ａ）に示すように通気見切材１の端部にエンドキャップ５２を配置し、図１（ｂ）に示すように、嵌合片３２ａを通気見切材１の基体１２の上面板１８の下面に、嵌合片３２ｂを通気見切材１の基体１２の前面板２０及びその膨出部２１の外面に、嵌合片３２ｃを通気見切材１の基体１２の背面板２０と仕切体１７の下片の内面に、それぞれ差し込み嵌合することによって、通気見切材１の端部にエンドキャップ５２を取り付けることができるものである。さらに固定用孔５７を通したビス等の固定具６０を仕切体１７の固定具用穴２３にねじ込むことによって、エンドキャップ５２を通気見切材１の端部に固定することができるものであり、通気見切材１の端面の開口を端部板２９で塞ぐことができるものである。このとき、エンドキャップ５２に設けたパッキン５８に通気見切材１の端面を圧接させることによって、防水性を確保できるようにしてある。そしてこのように通気見切材１の端部にエンドキャップ５２を取り付けると、エンドキャップ５２に設けた水ガイド片３１の上端部に、通気見切材１の外開口６の端縁の下突片１９の下端が当接乃至近接対向するようにしてある。従って、水ガイド片３１は外開口６の直下に位置しているものである。尚、エンドキャップ５２は通気見切材１の左側端部に取り付けるものと右側端部に取り付けるものの２種類が必要であるが、端部板２９や水止め片３０の左右いずれの片面に、嵌合片３２や水ガイド片３１、さらにパッキン５８を設けるかの違いがあるだけであり、基本的な構成は同じである。
【００４１】
このようにエンドキャップ５２を取り付けた通気見切材１を屋根３の傾斜に沿うように斜めに配置して、図７（ｂ）のように、基体１２の背面板１３の下部を通してビス等の固定具４５を縦胴縁４６に打ち込むことによって、この通気見切材１を縦胴縁４６に取り付けるものである。次に、この縦胴縁４６に取り付けた通気見切材１に、他の通気見切材１を接続して連結する。
【００４２】
図５に、通気見切材１を連結するために用いられるジョイント３７の一例を示す。このジョイント３７は、通気見切材１の端面の外形形状・寸法にほぼ合致する外形の端部板２９の両面に嵌合片３２を突設して形成されるものである。この端部板２９の屋外側の端部で且つ下端部の位置に、屋外側へ向けて斜め下方に水止め片３０を一体に延設してあり、この水止め片３０の両面にそれぞれ、その下縁に沿って屋外側へ向けて斜め下方へ傾斜する水ガイド片３１が突設してある。上記の嵌合片３２は端部板２９の両面のそれぞれ３箇所に設けてあり、端部板２９の上端縁に沿った嵌合片３２ａは、通気見切材１の基体１２の上面板１８と平行な形状に、端部板２９の前端縁に沿った嵌合片３２ｂは、通気見切材１の基体１２の前面板２０及びその膨出部２１と平行な形状に、端部板２９の後端縁から下端縁に沿った嵌合片３２ｃは、通気見切材１の基体１２の背面板２０から仕切体１７の下片と平行な形状に、それぞれ形成されるものである。端部板２９の中央部には固定用孔５７が穿設してある。尚、端部板２９の両面にはそれぞれＥＰＤＭ等のゴムなどのパッキン５８を貼着するようにしてあり、パッキン５８を貼着する範囲を図５（ｄ）に示す。
【００４３】
そして図７（ｃ）に示すように連結する側の通気見切材１の端部にジョイント３７を配置し、図１（ｃ）に示すように、端部板２９の一方の面に設けた嵌合片３２ａを通気見切材１の基体１２の上面板１８の下面に、嵌合片３２ｂを通気見切材１の基体１２の前面板２０及びその膨出部２１の外面に、嵌合片３２ｃを通気見切材１の基体１２の背面板２０と仕切体１７の下片の内面に、それぞれ差し込み嵌合することによって、通気見切材１の端部にジョイント３７を取り付けることができるものである。さらに固定用孔５７を通したビス等の固定具６０を仕切体１７の固定具用穴２３にねじ込むことによって、ジョイント３７を通気見切材１の端部に固定することができるものであり、通気見切材１の端部の開口は端部板２９で塞がれる。このとき、ジョイント３７に設けたパッキン５８に通気見切材１の端面を圧接させることによって、防水性を確保できるようにしてある。また、ジョイント３７に設けた水ガイド片３１の上端部に、通気見切材１の外開口６の端縁の下突片１９の下端が当接乃至近接対向するようにしてある。従って、水ガイド片３１は外開口６の直下に位置しているものである。尚、図５の実施の形態のように、水ガイド片３１を水止め片３０の両面に設けるようにすれば、左方向へ傾斜する通気見切材１を接続する場合にも、右方向へ傾斜する通気見切材１を接続する場合にも、同じジョイント３７を共用することが可能になるものである。
【００４４】
このように連結する側の通気見切材１の端部にジョイント３７を取り付けた後、上記のように縦胴縁４６に取り付けた通気見切材１のエンドキャップ５２を取り付けていない側の端部に、図７（ｄ）の矢印のように、このジョイント３７を接続する。ジョイント３７の接続は、ジョイント３７の突出する側の嵌合片３２を上記と同様に通気見切材１の端部に差し込み嵌合することによって行なうことができる。このようにしてジョイント３７を用いて一対の通気見切材１を一直線に連結することができるものであり、このとき図７（ｄ）のように、通気見切材１を連結する箇所において縦胴縁４６に防水テープ６２を貼っておき、連結部の防水処理をするようにしてある。
【００４５】
上記のようにして妻壁の頂部を挟む両側にそれぞれ通気見切材１を取り付けた後、上側の通気見切材１の上端部間に頂点カバー５０を取り付けて連結する。図６に頂点カバー５０の一例を示す。頂点カバー５０は、前片６４の上端と下端に上片６５と下片６６を屈曲して設けることによって、背面側に開口する断面コ字形に形成されるものであり、下片６６の後端に固定片６７が下方へ垂下して設けてある。また頂点カバー５０の左右両側端部において、前片６４の下端部から下片６５の前端部にかけて切り欠くことによって切欠部７０が形成してある。さらに上片６５を除いて、前片６４から下片６６、固定片６７にかけて、通気見切材１の左右中央に切離し線６８が切欠して設けてある。
【００４６】
そして図８（ａ）に示すように、切離し線６８の部分において頂点カバー５０の固定片６７、下片６６、前片６４にかけて屋根勾配に合わせてカットし、上片６５の中央部を逆Ｖ型に折り曲げることによって、図８（ｂ）に示すように、屋根勾配に合うように屈曲した頂点カバー５０に形成することができる。この頂点カバー５０の両端部にはシーリング材６９を施しておくのが好ましい。ここで、妻壁の頂部の部分において図８（ｃ）のように通気見切材１は上端部同士を隙間を介して対向してあり、この通気見切材１の対向する端部の間に跨って頂点カバー５０を配置し、頂点カバー５０の左右両端部の前片６４、上片６５、下片６６を通気見切材１の端部の外面に重ねることによって、図８（ｄ）のように通気見切材１の対向する端部同士を連結することができるものである。そして、固定片６７の重ね合わせた部分をビス等の固定具７１で縦胴縁４６に打ち付けることによって、頂点カバー５０を固定することができるものである。このとき、通気見切材１の前面下端部の膨出部２１は、頂点カバー５０の切欠部７０内に収められるようになっており、膨出部２１が邪魔になるようなことなく、頂点カバー５０を取り付けることができるようにしてある。また図８（ｃ）のように通気見切材１の対向部分において縦胴縁４６に防水テープ６２が貼ってあり、頂点カバー５０で通気見切材１を接続する部分の防水性を確保するようにしてある。
【００４７】
上記のようにして通気見切材１を備えて形成される建築物の外壁構造にあって、通気見切材１の外開口６が屋外に開口すると共に、内開口７が壁下地４と外壁材２との間の通気空間５に開口するので、外開口６、通気路８及び内開口７を通じて、通気空間５を屋外と連通させることができる。このように、通気空間５と外気との間の通気性を通気見切材１で確保することができるので、連通空間５内の空気は図１(ａ)のイ矢印のように、内開口７から通気見切材１内に流入し、通気路８を通過した後に、外開口６から排気される。従って、壁下地４と外壁材２との間の通気空間５内に湿気がこもったりして湿度が上昇することを抑制することができるものである。
【００４８】
また、風等により雨水等が外開口６から通気路８内に吹き込むなどして、図１(ｂ)のロ矢印のように通気路８内に水が浸入しても、この水は外傾斜面９に誘導されて第一の水返し１０ａに遮られ、この第一の水返し１０ａから外傾斜面９へ落下し、この外傾斜面９の傾斜に沿って戻されて外開口６から屋外へ排出される。第一の水返し１０ａで遮られずに更に水が浸入しても、この水はまず縦通気路８ａを進まなければならず、この縦通気路８ａを登りきって水が屋内側へ浸入することは困難である。更に、外傾斜面９の上方には第一の水返し１０ａを含む複数の水返し１０が屋内側と屋外側から交互に突出するように設けられているので、水の浸入は複数の水返し１０によって遮られる。このとき、複数の水返し１０を避けて水が浸入するための経路は上方に向かって蛇行する経路となり、このように経路が複雑化することにより、水の浸入が著しく困難になる。また、第一の水返し１０ａの上方の水返し１０で遮られた水は、各水返し１０の先端の水切片２５から下方へ落下し、この水返し１０の一つ下方の他の水返し１０の上面で受け止められる。水返し１０の上面の水はこの上面の傾斜によって水返し１０の先端側へ誘導されて水切片２５から下方へ落下し、最終的には外傾斜面９に達して外開口６から排出される。このため複数の水返し１０で遮られた水は通気路８内に残留することなく外開口６へ効率良く送られて排出される。
【００４９】
また例え、水が横通気路８ｂまで浸入したとしても、縦通気路８ａを通じて上方向に吹き上がった水が横通気路８ｂを横方向に移動して内開口７まで達するのは困難であり、この水は内開口７まで達することなく横通気路８ｂの底部に付着することになる。この横通気路８ｂ内の底部に付着した水は内傾斜面１１に沿って移動し、第三の水返し１０ｃの先端から縦通気路８ａへ落下して、水返し１０で遮られた水と同様に外開口６から排出される。このため、横通気路８ｂまで浸入した水も通気路８内に残留することなく外開口６へ効率良く戻されて排出される。
【００５０】
ここで、通気路８内に浸入した水が排出される前に、強風時に気流が外開口６から通気路８内に勢いよく流れ込んで通気路８内の圧力が通気空間５内の圧力よりも高くなると、圧力差により通気路８から通気空間５へ向けて強い気流が発生して、この気流で通気路８内の水が内開口７から通気空間５側へ押し出されるおそれがある。しかしこの気流は水返し１０によって効率よく遮蔽されるため、内開口７側の圧力の上昇は抑制される。このため、前記のような圧力差による水の浸入も効果的に防止されるものである。
【００５１】
このようにして、通気路８内に浸入した水が内開口７まで達することを効果的に防ぐことができるものであり、壁下地４と外壁材２との間の湿気の上昇を抑制することができるものである。また通気路８内の水は外開口６から効率良く排出されるため、通気路８内には水が残留し難くなるものであり、通気路８内で蒸発した水分が内開口７を介して通気空間５に流入することを防ぐことができ、壁下地４と外壁材２との間の湿気の上昇を更に有効に抑制することができるものである。尚、外壁材２は雄実と雌実の合いじゃくりで上下に接続されるが、この雄実や雌実の合いじゃくり面７２を横走りする雨水は、図１(ａ)のハ矢印のようにシーリング材３５で遮られて屋外面側へ排出され、防水性が確保されている。
【００５２】
ここで、横殴りの風が外壁材２に吹き当った場合、この風は図２のイ矢印のように、外壁材２の表面に沿って上昇することがある、このように外壁材２の表面に沿って上昇した風は通気見切材１の下面に当って屋外側へと向きを変え、通気見切材１の外開口６へと向かって進む。しかし外開口６の外壁材２側の端縁には下方へ突出する下突片１６が設けてあるので、風はこの下突片１６で遮られて図２のロ矢印のように下方へと向きを変えることになり、風が外開口６に流入することを防ぐことができるものである。従って、風と共に雨水が外開口６から浸入することを防ぐことができるものであり、通気見切材１の防水性を高いものとすることができ、通気空間５への雨水の浸入をより有効に防ぐことができるものである。
【００５３】
また、横殴りの風が通気見切材１に吹き当たった場合、図２のハ矢印のように、通気見切材１の前面板２０に吹き当った風が前面板２０の表面に沿って下降することがある。このように風が前面板２０に沿って下降しても、図２のニ矢印のように、前面板２０の膨出部２１の傾斜部２１ａによって風の向きは屋外側へと変換される。このため、通気見切材１の下面にこの風が回り込むことを膨出部２１で防ぐことができるものであり、風が下面の外開口６に流入することを防ぐことができるものである。従って、風と共に雨水が外開口６から浸入することを防ぐことができるものであり、通気見切材１の防水性を高いものとすることができ、通気空間５への雨水の浸入をより有効に防ぐことができるものである。また、前面板２０に吹き当った風は、前面板２０の全長に亘って上記のように設けた凹凸１６によって、風向きがいくらか横方向に変換されるものであり、風が下面の外開口６に流入することをより効果的に防ぐことができるものである。
【００５４】
上記のように、外開口６から通気見切材１の通気路８内に浸入した雨水などの水は、通気路８内に残留することなく外開口６の側へ流し戻されて、外開口６から排出されるが、上記のように妻壁に取り付けられる通気見切材１は、屋根３の勾配に沿って長手方向に傾斜している。このため、通気路８内に浸入した水は、外開口６へと流し戻される間に、通気見切材１の傾斜に従って通気路８内を通気見切材１の長手方向に沿って流れることになる。そして通気見切材１の傾斜の下側の端部の開口はジョイント３７やエンドキャップ５２で塞がれているので、通気見切材１内を長手方向に流れた水はジョイント３７やエンドキャップ５２で堰止められ、このジョイント３７やエンドキャップ５２の箇所に集められた状態で、外開口６から排出される。
【００５５】
ここで、上記のようにジョイント３７やエンドキャップ５２には、端部板２９に屋外側延出して水止め片３０を設け、水止め片３０に水ガイド片３１を張り出して設けてあり、この水ガイド片３１は通気見切材１の外開口６の直下に位置するようにしてある。従って、ジョイント３７やエンドキャップ５２で堰止められて集められた水が外開口６から排出されると、この水は直下に位置する水止め片３０と水ガイド片３１で受けられるものであり、図１（ｂ）のイ矢印や、図１（ｂ）の（ロ）矢印のように、水止め片３０が突出する屋外方向へ水ガイド片３１の上を流れた後に、外壁材２の表面から離れた位置で水ガイド片３１の先端から流下される。このため、通気見切材１の外開口６から排出される水が外壁材２の表面を伝って流れるようなことを効果的に抑制しつつ、排水をすることができるものであり、外壁材２の表面に水の流れで水垢などが付着することを効果的に抑制することができるものである。
【符号の説明】
【００５６】
１    通気見切材
２    外壁材
３    屋根
４    壁下地
５    通気空間
６    外開口
７    内開口
８    通気路
２９  端部板
３０  水止め片
３１  水ガイド片
３２  嵌合片
３７  ジョイント
５２  エンドキャップ
Ｂ    端部部材
【図１】
0005385168.tif 000002
【図２】
0005385168.tif 000003
【図３】
0005385168.tif 000004
【図４】
0005385168.tif 000005
【図５】
0005385168.tif 000006
【図６】
0005385168.tif 000007
【図７】
0005385168.tif 000008
【図８】
0005385168.tif 000009
【図９】
0005385168.tif 000010
【図１０】
0005385168.tif 000011
【図１１】
0005385168.tif 000012